(57)【特許請求の範囲】
【請求項１】
自己構成ネットワーク通信システムにおける再構成（ｒｅｃｏｎｆｉｇｕｒａｔｉｏｎ）及び再開始（ｒｅｓｔａｒｔ）を支援するための端末動作方法において、
基地局から再構成及び再開始に対する動作を予め報知するメッセージを受信する過程と、
前記メッセージを基づいてネットワーク再進入を行う過程と、
前記ネットワーク再進入を介して前記基地局と前記端末との間の接続維持を継続する過程と、を含み、
前記メッセージは、ＡＡＩ＿ＳＯＮ−ＡＤＶ（Ａｄｖａｎｃｅｄ  Ａｉｒ  Ｉｎｔｅｒｆａｃｅ  Ｓｅｌｆ  Ｏｒｇａｎｉｚｉｎｇ  Ｎｅｔｗｏｒｋｓ  ＡＤＶｅｒｔｉｚｅｍｅｎｔ）メッセージであることを特徴とする方法。
【請求項２】
前記メッセージは、ＦＡインデックス、現在ＦＡの作動しない時間（ｃｕｒｒｅｎｔ  ＦＡ  ｄｏｗｎｔｉｍｅ）、新しいＦＡ（ｎｅｗ  ＦＡ）、前記新しいＦＡの稼働時間（ｕｐ  ｔｉｍｅ）のうち少なくとも一つ以上を含むことを特徴とする請求項１に記載の方法。
【請求項３】
前記ネットワーク再進入を行う時点は、前記新しいＦＡの稼働時間（ｕｐ  ｔｉｍｅ）であることを特徴とする請求項２に記載の方法。
【請求項４】
前記再構成及び再開始は、ＦＡ（Ｆｒｅｑｕｅｎｃｙ  Ａｌｌｏｃａｔｉｏｎ）変更の場合、トリガリングされることを特徴とする請求項１〜３のいずれか１項に記載の方法。
【請求項５】
自己構成ネットワーク通信システムにおける再構成及び再開始を支援するための基地局動作方法において、
再構成及び再開始がトリガリングされるか否かを決定する過程と、
前記再構成及び再開始がトリガリングされる場合、前記再構成及び再開始に対する情報を含むメッセージを構成する過程と、
前記再構成及び再開始に対する動作を予め報知するために、前記メッセージを放送する過程と、を含み、
前記メッセージは、ＡＡＩ＿ＳＯＮ−ＡＤＶ（Ａｄｖａｎｃｅｄ  Ａｉｒ  Ｉｎｔｅｒｆａｃｅ  Ｓｅｌｆ  Ｏｒｇａｎｉｚｉｎｇ  Ｎｅｔｗｏｒｋｓ  ＡＤＶｅｒｔｉｚｅｍｅｎｔ）メッセージであることを特徴とする方法。
【請求項６】
前記メッセージは、ＦＡインデックス、現在ＦＡの作動しない時間（ｃｕｒｒｅｎｔ  ＦＡ  ｄｏｗｎｔｉｍｅ）、新しいＦＡ（ｎｅｗ  ＦＡ）、前記新しいＦＡの稼働時間（ｕｐ  ｔｉｍｅ）のうち少なくとも一つ以上を含むことを特徴とする請求項５に記載の方法。
【請求項７】
前記再構成及び再開始は、ＦＡ（Ｆｒｅｑｕｅｎｃｙ  Ａｌｌｏｃａｔｉｏｎ）変更の場合、トリガリングされることを特徴とする請求項５又は６に記載の方法。
【請求項８】
前記再構成及び再開始がトリガリングされた後、新しいＦＡの稼働時間（ｕｐ  ｔｉｍｅ）に、該当端末とネットワーク再進入（ｎｅｔｗｏｒｋ  ｒｅ−ｅｎｔｒｙ）を行って接続維持を継続する過程を更に含む請求項５〜７のいずれか１項に記載の方法。
【請求項９】
自己構成ネットワーク通信システムにおける再構成及び再開始を支援するための端末装置において、
基地局から再構成及び再開始に対する動作を予め報知するメッセージを受信する受信部と、
前記メッセージを基づいてネットワーク再進入を行い、
前記ネットワーク再進入を介して前記基地局と前記端末との間の接続維持を継続するコントローラと、を含み、
前記メッセージは、ＡＡＩ＿ＳＯＮ−ＡＤＶ（Ａｄｖａｎｃｅｄ  Ａｉｒ  Ｉｎｔｅｒｆａｃｅ  Ｓｅｌｆ  Ｏｒｇａｎｉｚｉｎｇ  Ｎｅｔｗｏｒｋｓ  ＡＤＶｅｒｔｉｚｅｍｅｎｔ）メッセージであることを特徴とする装置。
【請求項１０】
前記メッセージは、ＦＡインデックス、現在ＦＡの作動しない時間（ｃｕｒｒｅｎｔ  ＦＡ  ｄｏｗｎｔｉｍｅ）、新しいＦＡ（ｎｅｗ  ＦＡ）、前記新しいＦＡの稼働時間（ｕｐ  ｔｉｍｅ）のうち少なくとも一つ以上を含むことを特徴とする請求項９に記載の装置。
【請求項１１】
前記ネットワーク再進入を行う時点は、前記新しいＦＡの稼働時間（ｕｐ  ｔｉｍｅ）であることを特徴とする請求項１０に記載の装置。
【請求項１２】
前記再構成及び再開始は、ＦＡ（Ｆｒｅｑｕｅｎｃｙ  Ａｌｌｏｃａｔｉｏｎ）変更の場合、トリガリングされることを特徴とする請求項９〜１１のいずれか１項に記載の装置。
【請求項１３】
自己構成ネットワーク通信システムにおける再構成及び再開始を支援するための基地局装置において、
再構成及び再開始がトリガリングされるか否かを決定し、
前記再構成及び再開始がトリガリングされる場合、前記再構成及び再開始に対する情報を含むメッセージを構成するコントローラと、
前記再構成及び再開始に対する動作を予め報知するために、前記メッセージを放送する送信部と、を含み、
前記メッセージは、ＡＡＩ＿ＳＯＮ−ＡＤＶ（Ａｄｖａｎｃｅｄ  Ａｉｒ  Ｉｎｔｅｒｆａｃｅ  Ｓｅｌｆ  Ｏｒｇａｎｉｚｉｎｇ  Ｎｅｔｗｏｒｋｓ  ＡＤＶｅｒｔｉｚｅｍｅｎｔ）メッセージであることを特徴とする装置。
【請求項１４】
前記メッセージは、ＦＡインデックス、現在ＦＡの作動しない時間（ｃｕｒｒｅｎｔ  ＦＡ  ｄｏｗｎｔｉｍｅ）、新しいＦＡ（ｎｅｗ  ＦＡ）、前記新しいＦＡの稼働時間（ｕｐ  ｔｉｍｅ）のうち少なくとも一つ以上を含むことを特徴とする請求項１３に記載の装置。
【請求項１５】
前記再構成及び再開始は、ＦＡ（Ｆｒｅｑｕｅｎｃｙ  Ａｌｌｏｃａｔｉｏｎ）変更の場合、トリガリングされることを特徴とする請求項１３又は１４に記載の装置。
【請求項１６】
前記コントローラは、
前記再構成及び再開始がトリガリングされた後、新しいＦＡの稼働時間（ｕｐ  ｔｉｍｅ）に、該当端末とネットワーク再進入（ｎｅｔｗｏｒｋ  ｒｅ−ｅｎｔｒｙ）を行ってセッションを継続することを特徴とする請求項１３〜１５のいずれか１項に記載の装置。
【発明の詳細な説明】
【技術分野】
【０００１】
本発明は、無線通信に関するものであり、具体的に、無線通信システムにおける自己構成ネットワーク（Ｓｅｌｆ−Ｏｒｇａｎｉｚｅｄ  Ｎｅｔｗｏｒｋ：ＳＯＮ）に関するものである。
【背景技術】
【０００２】
自己構成ネットワーク（Ｓｅｌｆ−Ｏｒｇａｎｉｚｅｄ  Ｎｅｔｗｏｒｋ：ＳＯＮ）は、自己最適化（Ｓｅｌｆ−ｏｐｔｉｍｉｚａｔｉｏｎ）、自己構成（ｓｅｌｆ−ｃｏｎｆｉｇｕｒａｔｉｏｎ）、及び自己復旧（ｓｅｌｆ−ｈｅａｌｉｎｇ）を行うことができる。自己最適化において、ＳＯＮはアンテナパラメタ、電力設定（ｐｏｗｅｒ  ｓｅｔｔｉｎｇ）、隣接リスト（ｎｅｉｇｈｂｏｒ  ｌｉｓｔｓ）、及び無線資源管理パラメタの範囲を含む、更新の無線資源管理パラメタを推薦して適用するための処理測定（ｐｒｏｃｅｓｓｅｄ  ｍｅａｓｕｒｅｍｅｎｔｓ）を使用する。自己構成は、プラグ＆プレイ（ｐｌｕｇ−ｎ−ｐｌａｙ）型に動作するために、予め構成されたパラメタを利用する。ＳＯＮは、イベントによって起こるカバレッジ（ｃｏｖｅｒａｇｅ）または容量（ｃａｐａｃｉｔｙ）の損失を克服するために、試みられる各パラメタを調節することができる。
【０００３】
前記自己組織ネットワーク（ＳＯＮ）は、システム再構成（ｒｅｃｏｎｆｉｇｕｒａｔｉｏｎｓ）を支援する。もし、端末がその変更を認知できなくて前記端末が予め準備されなければ、セルタイプ（ｃｅｌｌ  ｔｙｐｅ）、帯域幅（ｂａｎｄｗｉｄｔｈ）、周波数割当（Ｆｒｅｑｕｅｎｃｙ  Ａｌｌｏｃａｔｉｏｎ：ＦＡ）または搬送波周波数（ｃａｒｒｉｅｒ  ｆｒｅｑｕｅｎｃｙ）、セル識別子（ｃｅｌｌ  ｉｄｅｎｔｉｆｉｅｒ）などと同様の構成中に、前記システム再構成は、呼切断（ｃａｌｌ−ｄｒｏｐｓ）またはサービス中断（ｓｅｒｖｉｃｅ  ｄｉｓｃｏｎｔｉｎｕｉｔｙ）を起こす。フェムト基地局が中継機になるよう動作形態を変更するような再構成はシステムリセットを要する。
【０００４】
よって、自己構成無線通信、及びネットワークにおいて効率的な再構成を支援するための方法及び装置が要する。
【発明の概要】
【０００５】
本発明の目的は、自己構成無線通信、またはネットワークにおいて効率的な再構成を支援するための方法及び装置を提供することにある。
【０００６】
上記の目的を達成するための本発明の第１見地によれば、無線通信ネットワークにおける複数の加入者端末と通信できる基地局において、少なくとも一つの加入者端末にメッセージを送信するよう設定される送信経路と、前記送信経路と接続され、及び少なくとも一つのパラメタの変更前に、前記メッセージを介して前記少なくとも一つのパラメタの変更と関連して前記少なくとも一つの加入者端末に知らせるように構成されるコントローラを含み、前記メッセージは前記加入者端末が前記少なくとも一つのパラメタの変更と関連する情報を含み、前記情報は前記加入者端末がネットワーク再進入を行うことができるように構成されることを特徴とする。
【０００７】
上述した目的を達成するための本発明の第２見地によると、無線通信ネットワークにおける基地局再構成方法において、前記基地局設定を変更する前に、少なくとも一つの加入者端末に少なくとも一つのパラメタに対する変更を指示するように構成されるメッセージを送信する過程と、前記少なくとも一つの加入者端末がネットワーク再進入を行うことができるようにする過程を含むことを特徴とする。
【０００８】
上述の目的を達成するための本発明の第３見地によれば、無線通信ネットワークにおける複数の基地局と通信できる加入者端末において、基地局から複数のメッセージを受信できるように構成される受信機と、前記受信機と接続され、前記基地局の少なくとも一つのパラメタの変更前に受信されたメッセージを複合化するように構成されるコントローラを含み、前記メッセージは前記少なくとも一つのパラメタの変更と関連する情報を含み、前記コントローラは前記少なくとも一つのパラメタの変更と関連する情報を前記メッセージから獲得するように構成され、前記情報は前記加入者端末がネットワーク再進入を行うことができるように構成されることを特徴とする。
【０００９】
上述した目的を達成するための本発明の第４見地によると、無線通信ネットワークにおける加入者端末を運営するための方法において、基地局設定を変更する前に、少なくとも一つのパラメタの変更に対する情報を含むメッセージを前記基地局から受信する過程と、前記加入者端末がネットワーク再進入を行うことができるようにするため、前記少なくとも一つのパラメタの変更に対する情報を前記メッセージから獲得する過程と、を含むことを特徴とする。
【図面の簡単な説明】
【００１０】
【図１】本発明の実施例によるＡＣＫ／ＮＡＣＫメッセージを送信する無線ネットワークを示す図である。
【図２】ＯＦＤＭＡ送信経路の上位レベルダイアグラムを示す図である。
【図３】本発明の実施例による無線加入者端末を示す図である。
【図４】本発明の実施例によるハンドオーバー手順を示す図である。
【図５】本発明の実施例によってフェムト基地局（Ｆｅｍｔｏ  Ｂａｓｅ  Ｓｔａｔｉｏｎ：ＦＢＳ）が一般モード（ｒｅｇｕｌａｒ  ｍｏｄｅ）と中継モード（ｒｅｌａｙ  ｍｏｄｅ）間を遷移するための動作を示す図である。
【発明を実施するための形態】
【００１１】
以下で述される図１乃至図５、並びに本発明の実施例を説明するために使用される如何なる実施形態も、例示のみをためのものであって、この発明の範囲を制限するものとして解釈されてはならない。本発明の原理が適合に変更された無線通信ネットワークにおいて具現されうることは当業者にとって自明な事実である。
【００１２】
図１は、本発明の実施例によるＡＣＫ／ＮＡＣＫメッセージを送信する無線ネットワークを示している。前記図１に示すように、無線ネットワーク１００は基地局１０１、基地局１０２、基地局１０３、及び他の類似の基地局（図示せず）を含む。基地局１０１は、基地局１０２及び基地局１０３と通信する。また、基地局１０１は、インターネットまたは類似ＩＰ基盤ネットワーク（図示せず）と通信する。
【００１３】
基地局１０２は、基地局１０２のカバレッジ領域１２０内において、インターネット１３０に無線広帯域接続（バックホール接続１３１を介して）を第１複数の加入者端末に提供する。前記第１複数の加入者端末は、中小企業（Ｓｍａｌｌ  Ｂｕｓｉｎｅｓｓ：ＳＢ）に位置する加入者端末１１１、大企業（Ｅｎｔｅｒｐｒｉｓｅ：Ｅ）に位置する加入者端末１１２、Ｗｉｆｉ（ｗｉｒｅｌｅｓｓ  ｆｉｄｅｌｉｔｙ）ホットスポットに位置する加入者端末１１３、第１居住地（Ｒｅｓｉｄｅｎｃｅ：Ｒ）に位置する加入者端末１１４、第２居住地（Ｒｅｓｉｄｅｎｃｅ：Ｒ）に位置する加入者端末１１５、及びセルラーフォン、無線ラップトップ、無線ＰＤＡのようなモバイル機器（ｍｏｂｉｌｅ  ｄｅｖｉｃｅ：Ｍ）の加入者端末１１６を含む。
【００１４】
基地局１０３は、基地局１０３のカバレッジ領域１２５内において、インターネット１３０に無線広帯域接続（バックホール接続（図示せず）を介してまたは中継する基地局１０１を介して）を第２複数の加入者端末に提供する。前記第２複数の加入者端末は、中小企業（Ｓｍａｌｌ  Ｂｕｓｉｎｅｓｓ：ＳＢ）に加入者端末１１５及び加入者端末１１６を含む。実施形態において、基地局１０１−１０３は、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）またはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）技術を採用して、お互い通信を行って加入者端末１１１−１１６と通信を行う。
【００１５】
基地局１０１は、より多くまたはより少ない数の基地局と通信することができる。さらに、６名の加入者端末が図１に示されている間に、無線ネットワーク１００は追加される加入者端末に無線広帯域接続を提供できることは自明である。加入者端末１１５と加入者端末１１６は、カバレッジ領域１２０とカバレッジ領域１２５の境界に位置する。加入者端末１１５と加入者端末１１６は、各々基地局１０２と基地局１０３と両方通信を行い、この分野に通常の知識を持つ者によく知られているようにハンドオフモードで動作しうる。
【００１６】
加入者端末１１１−１１６は、音声、データ、動画、動画遠隔会議、及び他の広帯域サービスにインターネット１３０を介して接続することができる。実施形態において、一つ以上の加入者端末１１１−１１６は、Ｗｉｆｉ  ＷＬＡＮのアクセスポイント（Ａｃｃｅｓｓ  Ｐｏｉｎｔ：ＡＰ）と接続されうる。加入者端末１１６は、無線接続が可能なラップトップ、ＰＤＡ（Ｐｅｒｓｏｎａｌ  Ｄａｔａ  Ａｓｓｉｓｔａｎｔ）、ノート型ＰＣ、携帯用機器（ｈａｎｄｈｅｌｄ  ｄｅｖｉｃｅ）、または他の無線接続が可能な機器のうち一つである。例えば、加入者端末１１４、１１５は、無線接続可能のＰＣ、ラップトップ、ゲートウェイ、または他の機器であることができる。
【００１７】
その実施形態において、前記無線ネットワーク１００は、フェムトセル基地局（Ｆｅｍｔｏ−ｃｅｌｌ  Ｂａｓｅ  Ｓｔａｔｉｏｎ：ＦＢＳ）１６０を含む。前記ＦＢＳ１６０は、マクロ基地局１０１、基地局１０２、及び基地局１０３内に発現されたものと類似の構成要素を含む。よって、ＦＢＳ１６０は、一つのフェムト基地局制御機（Ｆｅｍｔｏ  Ｂａｓｅ  Ｓｔａｔｉｏｎ  Ｃｏｎｔｒｏｌｌｅｒ：ＦＢＳＣ）及び一つ以上のフェムト基地局トランシーバーサブシステム（Ｆｅｍｔｏ  Ｂａｓｅ  Ｔｒａｎｓｃｅｉｖｅｒ  Ｓｕｂｓｙｓｔｅｍ：ＦＢＴＳ）を含む。ＦＢＳ１６０は、ＯＦＤＭＡ、ＩＳ−９５、ＣＤＭＡまたは他のセルラー通信標準を採用して、自己がサービスする領域内においてモバイル機器と通信を行う。
【００１８】
音声ベアラトラフィック（Ｖｏｉｃｅ  ｂｅａｒｅｒ  ｔｒａｆｆｉｃ）は、通信ライン１６１と無線ゲートウェイ（Ｗｉｒｅｌｅｓｓ  Ｇａｔｅｗａｙ：ＷＧＷ）１６５を介してＦＢＳ１６０とＩＳ−４１ネットワーク（例えば、ＰＳＴＮ）間に移動される。シグナリング／制御トラフィックは、通信ライン１６８と無線ソフトスイッチ（Ｗｉｒｅｌｅｓｓ  Ｓｏｆｔ  Ｓｗｉｔｃｈ：ＷＳＳ）１６７を介してＦＢＳ１６０とＩＳ−４１ネットワーク間に移動される。前記ＷＧＷ１６５と前記ＷＳＳ１６７は、バックホール接続（図示せず）例えば、ＩＳ−４１を介してＭＳＣ（Ｍｏｂｉｌｅ  Ｓｗｉｔｃｈｉｎｇ  Ｃｅｎｔｅｒ）（図示せず）に接続される。前記ＷＧＷ１６５は、前記ＩＳ−４１を介して、ＦＢＳ１６０と前記ＭＳＣ間のベアラ経路（ｂｅａｒｅｒ  ｐａｔｈ）を提供する。前記ＷＳＳ１６７は、前記ＩＳ−４１を介して、ＦＢＳ１６０と前記ＷＧＷ１６５間のみならず前記ＦＢＳ１６０とＭＳＣ間のシグナリング経路（ｓｉｇｎａｌｉｎｇ  ｐａｔｈ）を提供する。
【００１９】
点線は、ＦＢＳ１６０が位置しているセル１７０の概略的な境界線（ｂｏｕｎｄａｒｙ）を示す。前記セルは、実施例（ｉｌｌｕｓｔｒａｔｉｏｎ）と説明（Ｅｅｘｐｌａｎａｔｉｏｎ）することを目的のみに概略的に円で示す。選択された前記セル構成と自然的な及び人工的な妨害に従って、前記セルが不規則な模様を有することは自明であるだろう。
【００２０】
図２（Ａ）は、ＯＦＤＭＡ送信経路の上位レベルダイアグラム（ｈｉｇｈ−ｌｅｖｅｌ  ｄｉａｇｒａｍ）である。図２（Ｂ）は、ＯＦＤＭＡ受信経路の上位レベルダイアグラムである。図２の（Ａ）と（Ｂ）において、実施例と説明することを目的のみに、ＯＦＤＭＡ送信経路は、基地局１０２において行ってＯＦＤＭＡ受信経路は加入者端末１１６で行われる。しかし、またＯＦＤＭＡ受信経路が基地局１０２で行ってＯＦＤＭＡ送信経路が加入者端末１１６において行われることは当業者にとって自明な事実である。
【００２１】
基地局１０２の前記送信経路は、チャンネルコーティングと変調機２０５、直／並列変換機２１０、ＩＦＦＴ（Ｉｎｖｅｒｓｅ  Ｆａｓｔ  Ｆｏｕｒｉｅｒ  Ｔｒａｎｓｆｏｒｍ）演算機２１５、並／直列変換機２２０、ＣＰ（Ｃｙｃｌｉｃ  Ｐｒｅｆｉｘ）挿入機、アップリンク変換機（ｕｐ−ｃｏｎｖｅｒｔｅｒ）２３０を含めて構成される。前記加入者端末１１６の受信経路は、ダウン変換機（ｄｏｗｎ−ｃｏｎｖｅｒｔｅｒ）２５５、ＣＰ除去機２６０、直／並列変換機２６５、ＦＦＴ演算機２７０、並／直列変換機２７５、及びチャンネルデコーディング／復調機２８０を含めて構成される。
【００２２】
図２の（Ａ）と（Ｂ）において他の構成要素がハードウェアまたはハードウェアとソフトウェアを混合（ｍｉｘｔｕｒｅ）して具現される間に、構成要素の一部はソフトウェアで具現されうる。特に、本発明に説明されるＦＦＴ演算機とＩＦＦＴ演算機は、ソフトウェアアルゴリズムとして具現されうる。ここで、その具現に応じてＦＦＴまたはＩＦＦＴサイズのＮは、変更されうる。
【００２３】
さらに、たとえ本発明は、ＦＦＴとＩＦＦＴを具現する実施例を指示しているが、これは説明のための実施例であって、本発明の範囲を制限するように解釈されてはならない。本発明の他の実施形態において、ＦＦＴ機能とＩＦＦＴ機能は各々ＤＦＴ（Ｄｉｓｃｒｅｔｅ  Ｆｏｕｒｉｅｒ  Ｔｒａｎｓｆｏｒｍ）機能とＩＤＦＴ（Ｉｎｖｅｒｓｅ  Ｄｉｓｃｒｅｔｅ  Ｆｏｕｒｉｅｒ  Ｔｒａｎｓｆｏｒｍ）機能とで容易に代替されることがある。ここで、ＤＦＴとＩＤＦＴ機能から、Ｎ変数の値は、定数値（例えば、１、２、３、４、‥）のうち何れか一つである。ＦＦＴとＩＦＦＴ機能から、Ｎ変数の値は、２の自乗の定数値（例えば、１、２、８、１６、‥）のうち何れか一つである。
【００２４】
基地局１０２において、チャンネルコーディング及び変調機２０５は、周波数領域の変調シンボル列を生成するために、情報ビットを受信してコーティング（例：ＬＤＰＣコーティング）を適用して入力ビットを変調する（例：ＱＰＳＫ、ＱＡＭ）。前記直／並列変換機２１０は、Ｎ個のシンボルストリームを生成するために、直列変調シンボルを並列データに変換する（例：デマルチプレクス）。前記Ｎは、基地局１０２と加入者端末１１６に使用されるＩＦＦＴ／ＦＦＴのサイズである。前記ＩＦＦＴ演算機２１５は、周波数領域出力信号を生成するために、Ｎ子の並列シンボルストリームに対してＩＦＦＴ演算を行う。並／直列変換機２２０は、前記ＩＦＦＴ演算機２１５から並列時間領域出力シンボルを直列時間領域信号に変換する（例：マルチプレクス）。ＣＰ挿入機２２５は、時間領域信号にＣＰ（Ｃｙｃｌｉｃ  Ｐｒｅｆｉｘ）を挿入する。最後に、アップ変換機２３０は、無線チャンネルを介する送信のために、ＣＰ挿入機２２５からの出力信号の周波数をＲＦ周波数にアップ変調させる。前記信号は、またＲＦ周波数に変換される前に基底帯域にフィルタリングされる。
【００２５】
前記基地局１０２から送信されるＲＦ信号は、前記無線チャンネルを介して通過した後に、加入者端末１１６に到着し、基地局１０２によって行われた動作と逆に動作する。即ち、ダウン変換機２５５は、受信された信号を基底帯域周波数にダウン変調させ、ＣＰ除去機２６０は直列時間領域信号を生成するためにＣＰを除去する。直／並列変換機２６５は、時間領域の基底帯域信号を並列時間領域信号に変換する。この際、ＦＦＴ演算機２７０は、Ｎ個の並列周波数領域の信号を生成するために、ＦＦＴ演算を行う。並／直列変換機２７５は、並列周波数領域の信号を変調されたデータシンボル列に変換する。チャンネルデコーディング及び復調機２８０は、前記変調されたシンボルを元の入力データストリムに復旧するために、復調を行ってデコーディングを行う。
【００２６】
基地局１０２とＦＢＳ１６０は、各々前記送信経路と前記受信経路と接続された基地局制御機（Ｆｅｍｔｏ  Ｂａｓｅ  Ｓｔａｔｉｏｎ  Ｃｏｎｔｒｏｌｌｅｒ：ＢＳＣ）２９０を含む。ＢＳＣ２８０は、セルサイト（ｃｅｌ  ｓｉｔｅ）１２０のようなセルサイト内で資源を管理する。ＢＣＳ２９０に含まれるハンドオフ制御機の具現は、説明のためであって、前記ハンドオフ制御機とメモリは、本発明の範囲から逸脱しなければ基地局１０２の他の部分に位置してもよい。
【００２７】
基地局１０１−１０３、１６０の各々は、加入者端末機１１１−１１６へのダウンリンク送信することと類似な送信経路を具現し、加入者端末機１１１−１１６からのアップリンク受信することと類似な受信経路を具現することができる。同様に、加入者端末１１１−１１６の各々は、基地局１０１−１０３へのアップリンク送信のための構造に該当する送信経路を具現し、基地局１０１−１０３からのダウンリンク受信のための構造に該当する受信経路を具現することができる。
【００２８】
図３は、本発明の実施例による無線加入者端末を示している。図３に示した無線加入者端末１１６は、例に過ぎない。無線加入者端末１１６の他の実施形態は、本発明の範囲から逸脱することなく使用されることができる。
【００２９】
無線加入者端末１１６は、アンテナ３０５、ＲＦトランシーバー３１０、ＴＸプロセッシング回路３１５、マイクロフォン３２０、及びＲＸプロセッシング回路３２５を含めて構成される。また、加入者端末１１６はスピーカ３３０、メインプロセッサ３４０、入／出力インターフェス３４５、キーボード３５０、ディスプレイ３５５、及びメモリ３６０を含めて構成される。前記メモリ３６０は、オペレーティングシステム（Ｏｐｅｒａｔｉｎｇ  Ｓｙｓｔｅｍ：ＯＳ）プログラム３６１と複数のアプリケーション３６２を含む。
【００３０】
ＲＦトランシーバー３１０は、無線ネットワーク１００の基地局によって送信される、流入されるＲＦ信号をアンテナ３０５から受信する。ＲＦトランシーバー３１０は、前記流入されるＲＦ信号を中間周波数（Ｉｎｔｅｒｍｅｄｉａｔｅ  Ｆｒｅｑｕｅｎｃｙ：ＩＦ）信号または基底帯域信号にダウン変調する。前記ＩＦ信号または基底帯域信号は、前記基底帯域またはＩＦ信号をフィルタリング、デコーディングまたはデジタル化することで処理される基底帯域信号を生成する、ＲＸプロセッシング回路３２５に提供される。ＲＸプロセッシング回路３２５は、前記処理された基底帯域信号をスピーカ３３０に送信（例：音声データ）するか、またはより多いプロセッシングのために（例：ウェブブラウジング）メインプロセッサ２４０に送信する。
【００３１】
ＴＸプロセッシング回路３１５は、マイクロフォン３２０からデジタル音声データを受信するか、メインプロセッサ３４０から他の出力基底帯域データ（例：ウェブデータ、電子メール、会話式ビデオゲームデータ）を受信する。ＴＸプロセッシング回路３１５は、処理された基底帯域またはＩＦ信号を生成するために、前記出力基底帯域データをインコーディング、マルチプレクシング、及びデジタル化する。ＲＦトランシーバー３１０は、前記ＴＸプロセッシング回路３１５から前記処理された流出基底帯域またはＩＦ信号を受信する。ＲＦトランシーバー３１０は、前記基底帯域またはＩＦ信号をアンテナ３０５を介して送信されるＲＦ信号にアップ変調する。
【００３２】
本発明の実施形態において、前記メインプロセッサ３４０は、マイクロプロセッサまたはマイクロコントローラである。前記メモリ３６０は、メインプロセッサ３４０と接続される。本発明の実施形態に応じて、メモリ３６０の一部は、ＲＡＭ（Ｒａｎｄｏｍ  Ａｃｃｅｓｓ  Ｍｅｍｏｒｙ：ＲＡＭ）で構成され、メモリの他の一部は、ＲＯＭ（Ｒｅａｄ−Ｏｎｌｙ  Ｍｅｍｏｒｙ：ＲＯＭ）で構成される。
【００３３】
メインプロセッサ３４０は、無線加入者端末１１６の全般的な動作を制御するためにメモリ３６０内のオペレーティングシステムプログラム３６１を実行させる。しかし動作において、メインプロセッサ３４０は、公知の原則に従ってＲＦトランシーバー３１０、ＲＸプロセッシング回路３２５、及びＴＸプロセッシング回路３１５を介して正方向チャンネル信号の受信と逆方向チャンネル信号の送信を制御する。
【００３４】
メインプロセッサ３４０は、メモリ３６０にＣｏＭＰ通信とＭＵ−ＭＩＭＯ通信のための動作のような常住する他のプロセスとプログラムを実行することができる。メインプロセッサ３４０は、プロセスを実行する必要に応じて、メモリ３６０内にデータを保存するかメモリ３６０からデータを読取ることができる。実施形態に応じて、メインプロセッサ３４０は、ＣｏＭＰ通信とＭＵ−ＭＩＭＯ通信のためのアプリケーションのような複数のアプリケーション３６２を実行することができる。前記メインプロセッサ３４０は、さらに入／出力インターフェス３４５に接続される。入出力インターフェス３４５は、加入者端末１１６にラップトップと携帯用のコンピュータのような他の機器と接続できる機能を提供する。入／出力インターフェス３４５は、付帯装備とメインプロセッサ３４０との間の通信経路である。
【００３５】
メインプロセッサ３４０は、さらにキーパッド３５０とディスプレイユニット３５５と接続される。加入者端末１１６の運営者は、加入者端末１１６内にデータを入力するために、キーパッド３５０を用いる。ディスプレイ３５５は、ウェブサイトからのテキストまたは少なくとも制限されたグラフィックをレンダリング（ｒｅｎｄｅｒｉｎｇ）できる液晶表示装置（Ｌｉｑｕｉｄ  Ｃｒｙｓｔａｌ  Ｄｉｓｐｌａｙ：ＬＣＤ）であってもよい。また他の実施形態は、他の形態のディスプレイを使用することができる。
【００３６】
本発明の実施例は、自己構成（ｓｅｌｆ−ｏｒｇａｎｉｚｅｄ）無線通信ネットワーク内において再構成を支援する。前記ＳＯＮ動作は、「ＩＥＥＥ  Ｃ８０２．１６ｍ−１９／２１０４ｒｌ」、  Ｐｒｏｐｏｓｅｄ  ＡＷＤ  ｔｅｘｔ  ｆｏｒ  ＳＯＮ  Ｓｅｐｔ．２００９；  ＩＥＥＥ  Ｐ８０２．１６ｍ／Ｄ２、  「Ｄｒａｆｔ  ａｍｅｎｄｍｅｎｔ  ｆｏｒ  ＩＥＥＥ  ８０２．１６ｍ」  Ｏｃｔ．  ２００９に記述されており、それぞれの内容は、参照され含まれる。さらに、「ＡＵＴＯＭＡＴＥＤ  ＡＮＤ  ＳＥＡＭＬＥＳＳ  ＣＨＡＮＧＥ  ＯＦ  ＲＥＰＯＲＴＩＮＧ  ＣＥＬＬ  ＩＮＤＥＮＴＩＴＹ」という題のＰＣＴ特許明細書（ＷＯ／２００９／０２２９７５）の全般から参照され含まれる内容は、新しいセル識別子／プリアンブルを含むメッセージと端末に送られるべき前記メッセージの効果的タイミングを示して、前記端末は、前記サービスが中断されないようにするために予め新しいセル識別子／プリアンブルが分かる。しかし、ＷＯ／２００９／０２２９７５の前記メッセージは、セル識別子に制限される。
【００３７】
時変環境（ｔｉｍｅ−ｖａｒｙｉｎｇ  ｅｎｖｉｒｏｎｍｅｎｔ）動作条件（ｗｏｒｋｉｎｇ  ｃｏｎｄｉｔｉｏｎｓ）、サービス要求（ｓｅｒｖｉｃｅ  ｒｅｑｕｉｒｅｍｅｎｔｓ）などのせいで、基地局１０２は異なる時間に異なる構成（ｃｏｎｆｉｇｕｒａｔｉｏｎ）とパラメタなどを再構成する必要がある。例えば、基地局１０２は干渉回避／緩和（ｉｎｔｅｒｆｅｒｅｎｃｅ  ａｖｏｉｄａｎｃｅ／ｍｉｔｉｇａｔｉｏｎ）のために周波数割当（Ｆｒｅｑｕｅｎｃｙ  Ａｌｌｏｃａｔｉｏｎ：ＦＡ）を変更することもできる。さらに、ＦＢＳ１６０は異なる環境においてＦＢＳ１６０調整（ａｄｊｕｓｔｉｎｇ）の信頼性（ｒｅｌｉａｂｉｌｉｔｙ）と柔軟性（ｆｌｅｘｉｂｉｌｉｔｙ）を強化するために、第２バックホール（ｓｅｃｏｎｄａｒｙ  ｂａｃｋｈａｕｌ）を含めることができる。例えば、ケーブルまたはＤＳＬのようなバックホールと共に、ＦＢＳ１６０は中継機のようなバックアップ無線バックホールを含めてもよい。従って、ＦＢＳ１６０は一般モード（ｒｅｇｕｌａｒ  ｍｏｄｅ）から中継モード（ｒｅｌａｙ  ｍｏｄｅ）に変更または中継モードから一般モードに変更する必要がある。
【００３８】
しかし、もし再構成による変更が急に発生すると、再構成は加入者端末１１６のためのサービス中断（ｓｅｒｖｉｃｅ  ｄｉｓｃｏｎｔｉｎｕｉｔｙ）を起こす。本発明の実施例は、基地局１０２が基地局タイプ（ｂａｓｅ  ｓｔａｔｉｏｎ  ｔｙｐｅ）、帯域幅（ｂａｎｄｗｉｄｔｈ）、周波数割当／搬送波変更（ｆｒｅｑｕｅｎｃｙ  ａｌｌｏｃａｔｉｏｎ／ｃａｒｒｉｅｒ  ｃｈａｎｇｅｓ）のような再構成を行う時、サービス連続性（ｓｅｒｖｉｃｅ  ｃｏｎｔｉｎｕｉｔｙ）を提供するためのシステムと方法を提供する。さらに、他の構成とパラメタに対する再構成中に、前記基地局と前記ネットワークにおけるまたは端末における詳しい動作と手順は異なることがあり具体的に明示される必要がある。例えば、周波数割当変更または他の構成変更のような物理階層に対する再構成中に、以下のような状況を考慮する必要がある。先ず、多重アクセス制御が維持されうるかまたは変更されうるか、どの動作が影響を受けるかまたは変更されるか、明示される手順または動作を使用して再構成を可能にする最適化された方法があるか、などの状況を考慮する必要がある。本発明において、システム再構成が可能になるようにする詳しい動作と手順が開示される。
【００３９】
たとえ、本書の実施例は、ＩＥＥＥ  ８０２．１６ｍシステムのような特化の通信標準を参照するが、本発明の実施例は、ＩＥＥＥ  ８０２．１６ｍシステムに限定されず、他の通信システムとネットワークに使用されることは自明である。次の実施例において、ＭＳ（Ｍｏｂｉｌｅ  ｓｔａｔｉｏｎ）またはＡＭＳ（Ａｄｖａｎｃｅｄ  ｍｏｂｉｌｅ  ｓｔａｔｉｏｎ）は、加入者端末と称する。ＢＳ（Ｂａｓｅ  ｓｔａｔｉｏｎ）及びＡＢＳ（Ａｄｖａｎｃｅｄ  ｂａｓｅ  ｓｔａｔｉｏｎ）は、基地局と称する。セル識別子またはプリアンブルは、基地局の物理階層識別子と称し、普通の同期チャンネルを介して伝達される。前記セル識別子は、基地局タイプ内において再使用される。周波数割当（ＦＡ）または搬送波周波数（ｃａｒｒｉｅｒ  ｆｒｅｑｕｅｎｃｙ）は、基地局によって使用される周波数搬送波（スペクトル）と称する。ハンドオーバーは、端末がサービング基地局からターゲット基地局にハンドオーバーされることを示す。ＨＯ−ＣＭＤ（Ｈａｎｄｏｖｅｒ  ｃｏｍｍａｎｄ）は、端末にいつ／どうやってハンドオーバーを行うかを知らせるために使用されるメッセージである。一般的に、基地局識別子（Ｂａｓｅ  ｓｔａｔｉｏｎ  ｉｄｅｎｔｉｆｉｅｒ：ＢＳＩＤ）は、前記基地局の固有識別子を示す。スーパーフレームヘッダ（Ｓｕｐｅｒ  Ｆｒａｍｅ  Ｈｅａｄｅｒ：ＳＦＨ）は、放送チャンネル（Ｂｒｏａｄｃａｓｔ  ＣＨａｎｎｅｌ：ＢＣＨ）の一部である。ＳＦＨは、最も重要なシステム情報を含む。ＡＡＩ（Ａｄｖａｎｃｅｄ  Ａｉｒ  Ｉｎｔｅｒｆａｃｅ）は、制御メッセージのプリフィックス（ｐｒｅｆｉｘ）として使用され、これらはプリフィックスなしにそのメッセージを相互交換できる。
【００４０】
図４は、本発明の実施例によるハンドオーバー手順を図示している。図４のハンドオーバー手順具現は、説明のためのものに過ぎず、他の実施形態は本発明の範囲から逸脱することなく使用することができる。
【００４１】
実施形態において、基地局１０２は、再構成のために新しい構成（ｎｅｗ  ｃｏｎｆｉｇｕｒａｔｉｏｎ）と関連する情報とタイミング情報（ｔｉｍｉｎｇ  ｉｎｆｏｒｍａｔｉｏｎ）を加入者端末１１６に送信する。前記新しい構成は、帯域幅（ｂａｎｄｗｉｄｔｈ）、周波数割当（Ｆｒｅｑｕｅｎｃｙ  Ａｌｌｏｃａｔｉｏｎ：ＦＡ）、または搬送波周波数（ｃａｒｒｉｅｒ  ｆｒｅｑｕｅｎｃｙ）などの変更を含めることができる。前記タイミング情報は、新しい構成の有効時間（ｅｆｆｅｃｔｉｖｅ  ｔｉｍｅ）と、現構成と前記新しい構成の間に発生する中間時間間隔（ｉｎ−ｂｅｔｗｅｅｎ  ｔｉｍｅ  ｉｎｔｅｒｖａｌ）を含めることができる。基地局１０２が現構成から新しい構成に遷移（ｔｒａｎｓｉｔｉｏｎｉｎｇ）するため、前記中間時間間隔は加入者端末１１６が基地局１０２をアクセスまたはスキャニングする時に利用できない間隔である。例えば、前記新しい構成がＦＡ変更を伴うとき、加入者端末１１６に対して物理階層は変更されるが、ＭＡＣ階層と上位階層（ＭＡＣ階層の接続、ステーション識別子などのような）は変わらない（接続状態または遊休モードなどのような）間に、前記中間時間間隔は再構成のための遷移時間間隔（ｔｒａｎｓｉｔｉｏｎ  ｔｉｍｅ  ｉｎｔｅｒｖａｌ）を含めてもよい。物理階層再構成によって基地局１０２の前記遷移時間間隔において、加入者端末１１６は物理階層で基地局１０２に到達できず、基地局１０２は前記物理階層で加入者端末１１６が基地局１０２に到達するかアクセスすることができなくなる。
【００４２】
実施形態において、前記構成と前記タイミング情報は、既存メッセージに含めることができる。実施形態において、新しいメッセージが前記構成と前記タイミング情報を含めるために生成されることができる。前記情報は、ブロードキャスティング、マルチキャスティング、またはユニキャスティングされることができる。例えば、前記構成と前記タイミング情報は、ＳＯＮ−ＡＤＶのようなＳＯＮ広告メッセージ（ａｄｖｅｒｔｉｓｅｍｅｎｔ  ｍｅｓｓａｇｅ）内に存在してもよい。
【００４３】
前記再構成のためのタイミング情報は、また現構成の終了時間（ｅｎｄｉｎｇ  ｔｉｍｅ）であってもよい。さらに、前記タイミング情報は、前記現構成の終了時間において新しい構成の開始時間（ｂｅｇｉｎｉｎｇ  ｔｉｍｅ）までのインターバル（ｉｎｔｅｒｖａｌ）などを含めることができる。
【００４４】
現構成と新しい構成の遷移時間間隔（ｔｒａｎｓｉｔｉｏｎ  ｔｉｍｅ  ｉｎｔｅｒｖａｌ）の間に、ＦＡ変更、帯域幅変更などのような再構成タイプに対して、加入者端末１１６は物理階層において基地局１０２と通信することができない。一方、前記接続は、ＭＡＣ階層または上位階層を介して維持されうる。
【００４５】
構成とタイミング情報を受信したとき、加入者端末１１６は基地局１０３のような他の基地局にハンドオーバーを要請することができる。さらに、加入者端末１１６は新しい帯域幅、ＦＡが再構成されれば新しいＦＡのような新しい構成に応じて、基地局１０２（即ち、サービング基地局）にハンドオーバーを要請することができる。加入者端末１１６は新しい構成の有効時間に基づいて新しい構成で基地局１０２を監視することができる。加入者端末１１６は、流入トラフィックタイプ、データ／音声の遅延要求事項（ｌａｔｅｎｃｙ／ｄｅｌａｙ  ｒｅｑｕｉｒｅｍｅｎｔ）、基地局１０３のような他の基地局からの信号強度などに基づいて選択することができる。例えば、もし加入者端末１１６が音声トラフィックを利用中であることから新しい構成の有効時間によって支持される時間待機できないと、加入者端末１１６は新しい構成を利用する基地局１０２と対照的な、基地局１０３にハンドオーバーを試みることができる。
【００４６】
基地局１０２が一つの構成を変更する必要があれば、変更後の再構成が必要となる。前記変更後の再構成は、また加入者端末１１６と通信される必要がある。例えば、基地局１０２がＦＡを変更する必要があれば、（ＳＯＮサーバーによってまたはバックホール接続を介して、他の基地局によっていることと同様にバックホール接続を介して指示され、前記ＦＡ変更は基地局１０２によって決定されうる。）、基地局１０２はまたプリアンブルまたはセル識別子が変更されるかを確認することになる。基地局１０２は、単独で、またはＳＯＮサーバーまたはバックホールがプリアンブルまたはセル識別子が変更されるかを確認する要請によって、確認できる。もし前記セル識別子がまた変更される必要がある場合、新しいセル識別子または前記構成とタイミング情報で加入者端末１１６に送信される。他の実施例として、基地局１０２タイプが変更されると、フレーム構造もまた変更される必要がある。このような理由で、新しいフレーム構造に関する情報は、加入者端末１１６に知らせる必要がある。
【００４７】
基地局１０２がＦＡを変更すると、基地局１０２は自ら新しいＦＡを隣接リスト（ｎｅｉｇｈｂｏｒ  ｌｉｓｔ）中に追加することができる。例えば、基地局１０２は隣接公告メッセージ（ｎｅｉｇｈｂｏｒ  ａｄｖｅｒｔｉｓｅｍｅｎｔ  ｍｅｓｓａｇｅ）内に新しいＦＡを有する基地局１０２を含めることができる。そして新しいＦＡのための有効タイミング（ｅｆｆｅｃｔｉｖｅ  ｔｉｍｉｎｇ）を追加することができる。構成及びタイミング情報を受信したとき、加入者端末１１６は前記隣接リストを基づいて新しいＦＡで基地局１０２にハンドオーバーを要請することができる。
【００４８】
実施形態において、加入者端末１１６が新しいＦＡで基地局１０２（サービング基地局）にハンドオーバーを要請し、加入者端末１１６は単純化させたハンドオーバーを行う。たとえ、実施例としてＦＡ変更が開示されるが、再構成は本発明の範囲から逸脱しないとともに周波数割当変更、帯域幅変更、基地局タイプ変更などのような基地局再構成（ｂａｓｅ  ｓｔａｔｉｏｎ  ｒｅ−ｃｏｎｆｉｇｕｒａｔｉｏｎ）の一種類であることは自明な事実である。
【００４９】
実施形態において、基地局１０２が自己のＦＡを変更する前に、基地局１０２は基地局１０２のカバレッジ内にある加入者端末１１６に新しいＦＡから基地局１０２にハンドオーバーするように命令する。
【００５０】
ＭＡＣ  ｃｏｎｔｅｘｔ（ステーション識別子、接続識別子、基本能力コンテキスト（ｂａｓｉｃ  ｃａｐａｂｉｌｉｔｙ  ｃｏｎｔｅｘｔ），セキュリティコンテキスト（ｓｅｃｕｒｉｔｙ  ｃｏｎｔｅｘｔ）（例：ＰＫＭ  ｋｅｙｓ、など）、など）は同様に維持される。前記ＭＡＣ  ｃｏｎｔｅｘｔは、加入者端末１１６の簡素化されたネットワーク再進入（ｎｅｔｗｏｒｋ  ｒｅ−ｅｎｔｒｙ）を可能にするように同様に維持される。基地局１０２は、加入者端末１１６に新しいＦＡと新しいセル識別子に関してハンドオーバー命令として知らせ（ターゲット基地局ＦＡ、ターゲット基地局セル識別子として）（該当する場合）、そして前記ＦＡが変更された後に、加入者端末１１６にターゲット基地局に再進入するように指示する（即ち、サービン具基地局のような基地局１０２、しかし新しいＦＡにおいて）、例えば、前記新しいＦＡの前記有効時間になるとき、基地局１０２は、前記ハンドオーバー命令内に再進入時間（ｒｅ−ｅｎｔｒｙ  ｔｉｍｅ）または再進入動作時間（ｒｅ−ｅｎｔｒｙ  ａｃｔｉｏｎ  ｔｉｍｅ）を設定して、加入者端末１１６に基地局１０２から再進入するよう指示する。
【００５１】
前記ハンドオーバー命令において、特別なハンドオーバーモード指示（Ｓｐｅｃｉａｌ  ＨａｎｄＯｖｅｒ  Ｍｏｄｅ  Ｉｎｄｉｃａｔｏｒ：ＳＨＯＭＩ）は、前記特別なハンドオーバーモードを指示するために含めてもよい。前記特別なハンドオーバーモードは、以前の構成の基地局１０２から新しい構成の基地局１０２にハンドオーバーするモードである。ハンドオーバー命令にＳＨＯＭＩを含むことによって、前記ターゲット基地局識別子が前記サービング基地局識別子と同様であるため、前記ターゲット基地局識別子（ＢＳＩＤ）は前記ハンドオーバー命令から省略されることができる。即ち、ターゲット基地局識別子とサービング基地局識別子の両方は、基地局１０２のための基地局識別子である。前記ＳＨＯＭＩは、前記ハンドオーバー命令内の他の指示情報と共にコード化されてもよい。
【００５２】
前記ハンドオーバー命令は、また前記ネットワーク再進入が簡素化されることを指示するように構成される簡素化された再進入指示子（Ｓｉｍｐｌｉｆｉｅｄ  Ｒｅ−ｅｎｔｒｙ  Ｉｎｄｉｃａｔｏｒ：ＳＲＩ）を含めることができる。例えば、前記ＳＲＩはレンジング手順またはランダムアクセス手順が省略されることを指示するように構成されることができる（例：「１」Ｎｏｔ  ｓｋｉｐ；「０」Ｓｋｉｐ）。レンジング要請メッセージ内に特別に設定されるレンジング用途ビット（ｒａｎｇｉｎｇ  ｐｕｒｐｏｓｅ  ｂｉｔ）を含むそのレンジングの一つの指示だけで（例えば、レンジング要請メッセージのみが簡素化レンジングであることを指示するために用途ビット（ｐｕｒｐｏｓｅ  ｂｉｔ）を含む）、前記ＳＲＩは前記レンジング手順が単にハンドシェイク（ｈａｎｄｓｈａｋｅ）のみに簡素化されることができることを指示するように構成されうる。前記ＳＲＩはレンジング応答がレンジング要請の受信可否のみを指示することであることを示すように構成されることができる。例えば、前記ハンドオーバー命令は、一つのＳＲＩ（例：ｏｎｅ  ｂｉｔ  １  ｓｉｍｐｌｉｆｉｅｄ；  ｂｉｔ  ０  ｎｏｔ  ｓｉｍｐｌｉｆｉｅｄ  ｒａｎｇｉｎｇ）を含む。加入者端末１１６が  ＳＲＩ＝１を受信するとき、前記レンジング要請内に予約される用途ビットのみを送信することで、加入者端末１１６は簡素化されたレンジングを行う。基地局１０２がその特別なレンジング要請を受信するとき、基地局１０２は唯一のＳＲＩ（例：ｏｎｅ  ｂｉｔ  １  ｓｕｃｃｅｓｓｆｕｌ，  ０  ｆａｉｌｕｒｅ）でレンジング応答を送信する。
【００５３】
前記ハンドオーバー命令は、前記ターゲット基地局ＦＡへの変更を指示するために新しいＦＡとセル識別子を含むことができる（該当する場合）。基地局１０２は、前記命令メッセージ内に新しいフィールドを含むことができる。前記フィールドは、既存フィールドと共にコーディング化されることができる。例えば、ＳＨＯＭＩが含まれると、その際前記ＳＨＯＭＩが有効であるとき、前記フィールドは含まれることができる。加入者端末１１６は、その際基地局１０２（ターゲット基地局）をスキャニングすることができ、前記簡素化された再進入手順に従って基地局１０２に再進入を試みることができる。
【００５４】
前記ハンドオーバー命令は、前記新しいＦＡの有効時間（ｅｆｆｅｃｔｉｖｅ  ｔｉｍｅ）に関するタイミング情報を含むことができる。前記タイミング情報は、新しいフィールド内に含まれてもよく、またはハンドオーバー命令の既存フィールド内に含めてもよい。例えば、前記ハンドオーバー命令は、加入者端末１１６が前記ターゲット基地局に到達できる時間である、動作時間（ａｃｔｉｏｎ  ｔｉｍｅ）のフィールドを含めると、その際前記動作時間は前記新しいＦＡのための前記有効時間であるか、前記新しいＦＡのための前記有効時間以後である。よって、前記サービング基地局がＦＡを変更した後に、加入者端末１１６は前記ターゲット基地局に到達するよう試みることができる。他の実施例において、前記ハンドオーバー命令が、加入者端末１１６が前記ターゲット基地局にレンジングするための締切時間（ｄｅａｄｌｉｎｅ）である、レンジング初期締切時間（ｒａｎｇｉｎｇ  ｉｎｉｔｉａｔｉｏｎ  ｄｅａｄｌｉｎｅ）のためのフィールドを含む場合、その際前記締切時間は、前記新しいＦＡの有効時間以後でなければならない。
【００５５】
ハンドオーバー命令において、前記ターゲット基地局識別子フィールドは、前記サービング基地局自己にハンドオーバーを指示するように構成される特別コード（例：全部ゼロインコード）であってもよい。代案として、指示子はターゲット基地局識別子が含まれていることを指示するように構成されうる。
【００５６】
前記メッセージを受信したとき、加入者端末１１６は前記メッセージをデコーディングして含まれていると前記ＦＡの前記有効時間を検索する。その際、前記ＦＡの前記有効時間にまたは後に、加入者端末１１６は前記新しいＦＡ（ターゲット基地局）で基地局１０２（サービング基地局）を監視することを開始する。加入者端末１１６はまた前記メッセージ内の前記新しいＦＡ情報と前記新しいセル識別子情報をデコーディングし、前記新しいＦＡで基地局１０２（サービング基地局）を検索して監視するために、前記新しいＦＡ情報と前記新しいセル識別子を使用する。加入者端末１１６は新しいＦＡで基地局１０２を監視して同期、放送チャンネルを獲得する。ここで、加入者端末１１６が前記ターゲット基地局のセル識別子と基地局識別子を獲得し、ネットワーク進入またはネットワーク再進入を試みる。加入者端末１１６はまたは前記メッセージをデコーディングしてターゲット基地局識別子が含まれる指示子の存在を確認する。
【００５７】
もし、前記指示子が含まれないか、加入者端末１１６がターゲット基地局識別子フィールド内の前記特別な予約コードをデコーディングして、加入者端末１１６が、前記ターゲット基地局識別子がサービング基地局識別子であることをわかって自ら前記基地局１０２にハンドオーバーすると、その際基地局１０２は簡素化されたネットワーク再進入を行うことができる。
【００５８】
ネットワーク再進入内において及びレンジング要請内において、加入者端末１１６が自ら前記サービング基地局にハンドオーバーを行っているところであることを示すために、加入者端末１１６はサービング基地局のフィールド内に特別なコード（全部ゼロインコード）を使用する。即ち、前記ターゲット基地局（新しい構成の基地局１０２）はサービング基地局（以前構成の基地局１０２）と同じである。関連のない追加的フィールドは省略する。
【００５９】
前記レンジング応答において、基地局１０２はレンジング状態（ｒａｎｇｉｎｇ  ｓｔａｔｕｓ）のフィールドのみを送信する。他のフィールドが省略されうる。
【００６０】
基地局１０２は、加入者端末１１６がスキャン応答（ｓｃａｎ  ｒｅｓｐｏｎｓｅ：ＳＣＮ−ＲＳＰ）または新しいメッセージ内に新しい構成を有して基地局１０２をスキャンすることを要請するために、前記新しい構成に関する情報（新しい構成と有効時間など）を送信することができる。
【００６１】
実施形態において、基地局１０２はＡＢＳ（Ａｄｖａｎｃｅｄ  Ｂａｓｅ  Ｓｔａｔｉｏｎ）であり、加入者端末１１６はＡＭＳ（Ａｄｖａｎｃｅｄ  ｍｏｂｉｌｅ  ｓｔａｔｉｏｎ）である。もし、ＡＢＳとしての基地局１０２がＦＡを再構成すると、基地局１０２はまたセル識別子を再構成する必要がある。基地局１０２が自己のＦＡを変更する前に、基地局１０２はＡＡＩ＿ＳＯＮ−ＡＤＶ（Ａｄｖａｎｃｅｄ  Ａｉｒ  Ｉｎｔｅｒｆａｃｅ  Ｓｅｌｆ  Ｏｒｇａｎｉｚｉｎｇ  Ｎｅｔｗｏｒｋｓ  ＡＤＶｅｒｔｉｚｅｍｅｎｔ）メッセージのようなメッセージを加入者端末１１６に送信する。前記ＡＡＩ＿ＳＯＮ−ＡＤＶメッセージは、新しいＦＡ、有効時間、及び現構成と新しい構成間に発生する中間時間間隔（ｉｎ−ｂｅｔｗｅｅｎ  ｔｉｍｅ  ｉｎｔｅｒｖａｌ）を含む。前記中間時間間隔は、基地局１０２が現構成から新しい構成に遷移することによって、加入者端末１１６のための利用不可能の間隔になる。加入者端末１１６が前記利用不可能の間隔を耐えることができないと、加入者端末１１６は基地局１０３のような他の基地局へのハンドオーバーを選択することになる。もし、前記利用不可能の間隔が加入者端末１１６により受容されると、たとえ加入者端末１１６が基地局１０２と接続を維持できなくとも、加入者端末１１６は前記利用不可能の間隔中に基地局１０２に信号を送信することを制限する。
【００６２】
実施形態において、加入者端末１０２が遊休モード（ｉｄｌｅ  ｍｏｄｅ）である際、基地局１０２は、加入者端末１０２に前記構成及び前記タイミング情報を通信することができる。前記構成と前記タイミング情報は、帯域幅変更、ＦＡ変更のような再構成に関する情報を含む。前記ＦＡ変更情報は、新しいＦＡ、帯域幅に対するタイミング情報、新しいＦＡ，帯域幅、新しいセル識別子を含むことができる（該当する場合）。前記構成と前記タイミング情報は、ブロードキャスティング、マルチキャスティング、またはユニキャスティングされることができる。さらに、前記構成とタイミング情報は、新しいメッセージ内に含まれてもよく、または既存メッセージ内に含めてもよい。
【００６３】
加入者端末１１６は、前記構成及びタイミング情報を含む前記メッセージをデコーディングする。加入者端末１１６は、自己のページング聴取区間（ｐａｇｉｎｇ  ｌｉｓｔｅｎｉｎｇ  ｉｎｔｅｒｖａｌ）内においてデコーディングして前記再構成に関する前記情報を得ることができる。
【００６４】
図４の実施例において、基地局１０２は、基地局再構成（ｂａｓｅ  ｓｔａｔｉｏｎ  ｒｅｃｏｎｆｉｇｕｒａｔｉｏｎ）を開始する。図４を参照すると、前記基地局再構成は、ＦＡ変更である。しかし、本発明の範囲を逸脱しないとともに、前記基地局は周波数割当変更、帯域幅変更、基地局携帯変更などのような前記基地局の如何なる形態の再構成であってもよい。
【００６５】
基地局１０２は、ステップ４０５で構成及びタイミング情報を加入者端末１１６に送信する。前記構成及びタイミング情報は、前記新しいＦＡのための前記有効タイミング、新しいＦＡのようなＦＡ変更情報を含むことができる。前記構成及びタイミング情報は、前記サービング基地局、基地局１０２がまたはターゲット基地局であることを指示する（ステップ４０５）。前記構成及びタイミング情報は、新しいメッセージまたは既存メッセージにブロードキャスティング、マルチキャスティング、またはユニキャスティングされることができる（ステップ４０５）。
【００６６】
加入者端末１１６は、サービング基地局のための基地局識別子がターゲット基地局のための識別子と同様であることを指示する。その際、加入者端末１１６はステップ４１０でハンドオーバー要請メッセージを基地局１０２（サービング基地局）に送信する。
【００６７】
ハンドオーバー要請（ステップ４１０）に対する応答として、基地局１０２（サービング基地局）はステップ４１５でハンドオーバー命令を加入者端末１１６に送信する。加入者端末１１６は、ステップ４２０で、ハンドオーバー指示（ｉｎｄｉｃａｔｉｏｎ）で応答する。さらに、ハンドオーバー動作時間（ｈａｎｄｏｖｅｒ  ａｃｔｉｏｎ  ｔｉｍｅ）は、ステップ４２５でハンドオーバー命令（ステップ４１５）の受信に応答して、加入者端末１１６から開始される。
【００６８】
基地局１０２は、ＦＡ変更を開始する。前記ＦＡ変更が完了するまで時間がかかりうる。基地局１０２が前記ＦＡ変更を開始するときから基地局１０２が前記ＦＡ変更を完了するまでの時間は、中間時間間隔（ｉｎ−ｂｅｔｗｅｎｎ  ｔｉｍｅ  ｉｎｔｅｒｖａｌ）４３０と称する。前記中間時間間隔４３０は、基地局１０２が現構成から新しい構成に遷移することによって、加入者端末１１６が利用不可能の間隔（ｕｎａｖａｉｌａｂｌｅ  ｉｎｔｅｒｖａｌ）である。さらに、基地局１０２’（ターゲット基地局）でレンジング初期締切時間（ｒａｎｇｉｎｇ  ｉｎｉｔｉａｔｉｏｎ  ｄｅａｄｌｉｎｅ）４３５区間が開始されうる。
【００６９】
基地局１０２’（ターゲット基地局）は、ステップ４４０で加入者端末１１６が監視できる前記新しいＦＡで送信する。加入者端末１１６は、前記メッセージ内の前記新しいＦＡ情報と新しいセル識別子情報をデコーディングし、そして前記新しいＦＡで基地局１０２’（ターゲット基地局）を検索して監視するために、新しいＦＡ情報と新しいセル識別子情報を使用する。加入者端末１１６は、前記新しいＦＡにおいて基地局１０２’（ターゲット基地局）を監視し、ステップ４４５で専用（ｄｅｄｉｃａｔｅｄ）ＣＤＭＡレンジングコードを送信する。基地局１０２’（ターゲット基地局）は、ステップ４５０でレンジング応答ＡＣＫを送信する。基地局１０２’（ターゲット基地局）は、ステップ４６０で暗号化されたダウンリンクデータ、アップリンク承認（ｇｒａｎｔ）または全部を送信する。また、加入者端末１１６は、ステップ４６５で、レンジング要請を送信する。応答として、基地局１０２’（ターゲット基地局）は、ステップ４７０でレンジング応答を送信する。
【００７０】
実施形態において、前記ネットワーク再進入内において及びレンジング要請において、加入者端末１１６は加入者端末１１６が自らサービング基地局にハンドオーバーを行っているところであることを示すために、サービング基地局のフィールド内に特別なコード（全部ゼロインコード）を使用する。即ち、前記ターゲット基地局（新しい構成の基地局１０２）はサービング基地局（以前の構成の基地局１０２）と同じである。よって、関連のないフィールドまたは信号は、省略されうる。例えば、前記ハンドオーバー要請４１０、前記ハンドオーバー指示４２０、前記新しいＦＡの送信４４０、前記専用レンジングコードの送信４４５、前記レンジング応答ＡＣＫ、前記暗号化されたダウンリンクデータの送信、及びアップリンク承認４５５の送信、そして前記暗号化されたアップリンクデータまたは帯域幅要請の送信４６０のうち一つ以上のステップが省略されうる。
【００７１】
単なるハンドオーバーにおいて、基地局１０２は、構成及びタイミング情報４０５を加入者端末１１６に送信する。前記構成及びタイミング情報は、前記新しいＦＡ帯域幅のための有効タイミング、新しいＦＡ帯域幅などのようなＦＡ変更情報を含む。前記構成及びタイミング情報４０５は、前記サービング基地局、基地局１０２がまた前記ターゲット基地局であることを指示する。前記構成及びタイミング情報４０５は、新しいメッセージまたは既存メッセージにブロードキャスティング、マルチキャスティング、またはユニキャスティングされることができる。
【００７２】
実施形態において、基地局１０２（サービング基地局）は、ハンドオーバー命令４１５を加入者端末１１６に送信する。その際、基地局１０２は、前記ＦＡ変更を開始する。前記ＦＡ変更が完了するまで時間がかかりうる。基地局１０２が前記ＦＡ変更を開始するときから基地局１０２が前記ＦＡ変更を完了するまでの期間は、中間時間間隔（ｉｎ−ｂｅｔｗｅｎｎ  ｔｉｍｅ  ｉｎｔｅｒｖａｌ）４３０と称する。前記中間時間間隔４３０は、基地局１０２が現構成から新しい構成に遷移することによって、加入者端末１１６が利用不可能の間隔（ｕｎａｖａｉｌａｂｌｅ  ｉｎｔｅｒｖａｌ）である。さらに、基地局１０２’（ターゲット基地局）からレンジング初期締切時間（ｒａｎｇｉｎｇ  ｉｎｉｔｉａｔｉｏｎ  ｄｅａｄｌｉｎｅ）４３５区間が開始されうる。その際、前記レンジング初期締切時間４３５の終了に先立って、加入者端末１１６はレンジング要請４６５を送信する。応答として、基地局１０２’（ターゲット基地局）は、レンジング応答４７０を送信する。
【００７３】
実施形態において、基地局１０２は、基地局１０３に関する再構成情報を加入者端末１１６に送信することができる。前記再構成情報は、帯域幅変更、ＦＡ変更（新しいＦＡのための有効タイミングのような、新しいＦＡ、帯域幅など及び新しいセル識別子）などを含む。前記再構成情報は、新しいメッセージ内にブロードキャスティング、マルチキャスティング、またはユニキャスティングされるか、または隣接公告メッセージ（ＮＢＲ−ＡＤＶ）、スキャン応答メッセージ（ＳＣＮ−ＲＳＰ）などのような既存メッセージに追加されてブロードキャスティング、マルチキャスティング、またはユニキャスティングされることができる。加入者端末１１６は、前記メッセージをデコーディングして前記構成情報を受信する。
【００７４】
図５は、本発明の実施例によってフェムト基地局（Ｆｅｍｔｏ  Ｂａｓｅ  Ｓｔａｔｉｏｎ：ＦＢＳ）が一般モード（ｒｅｇｕｌａｒ  ｍｏｄｅ）と中継モード（ｒｅｌａｙ  ｍｏｄｅ）の間を遷移するための動作を示している。図５に示すように、フェムト基地局動作５００の具現は、説明のためのことに過ぎず、本発明の範囲から逸脱しないとともに他の実施形態が使用されてもよい。
【００７５】
実施形態において、ＦＢＳ１６０は、一般モード５０５と中継モード５１０を全て含むことができる。前記一般モード５０５は、デフォルトであってもよい。一般モード５０５で前記バックホール接続が切れるとき、ＦＢＳ１６０は中継モード５１０で動作する。前記中継モードで前記ＦＢＳ１６０は、基地局１０２、及び基地局１０３のような他の基地局と通信を行う。
【００７６】
実施形態において、ＦＢＳ１６０は、前記一般モード５０５または前記中継モード５１０が使用されるかを示すために、モード指示子（ｍｏｄｅ  ｉｎｄｉｃａｔｏｒ）を使用する。前記モード指示子は、プリアンブルシーケンスからの一ビットであってもよい。ここで、前記プリアンブルシーケンスは、同期用として使用されるシーケンスである。前記モード指示子はまたはプリアンブルシーケンスを分割して指示されることができて、一つの分割は前記一般モード５０５用として使用し、他の分割は前記中継モード５１０用として使用される。前記モード指示子またはスーパーフレームヘッダのような放送制御チャンネル内の一ビットとして使用されることができる。前記モード指示子はまたは一般モード５０５を指示する一つのシーケンスと、中継モード５１０を指示する他のシーケンスを含む、ＣＲＣスーパーフレームヘッダのためのスクランブルシーケンスであってもよい。
【００７７】
実施形態において、ＦＢＳ１６０は、前記バックホール接続が失敗するかまたはなくすかを判断することができる。ＦＢＳ１６０が前記一般モード５０５から前記中継モード５１０にスイッチングする前に、ＦＢＳ１０はスイッチメッセージ５１５を加入者端末１１６に送ることができる。前記スイッチメッセージ５１５は、加入者端末１１６にＦＢＳ１６０が前記中継モード５１０で動作することを知らせるように構成される。前記スイッチメッセージ５１５は、加入者端末１１６に前記中継モード５１０の時間区間に関して知らせるように構成される。前記スイッチメッセージ５１５は、またはプリアンブルシーケンス、中継フレーム構造タイプなどのような前記中継モード５１０で使用されるシステム情報を含むことができる。
【００７８】
前記バックホール接続が復旧されるとき、ＦＢＳ１６０は前記一般モード５０５に戻ることができる。ＦＢＳ１６０は、前記中継モード５１０から一般モード５０５に戻ることができる（ｓｗｉｔｃｈ  ｂａｃｋ）。既存中継モード５１０前に、ＦＢＳ１６０は加入者端末１１６にプリアンブルシーケンスなどのような一般モード５０５のタイミングと構成に関して知らせるために、スイッチバック（ｓｗｉｔｃｈｂａｃｋ）メッセージ５２０を加入者端末１１６に送信する。
【００７９】
実施形態において、ＦＢＳ１６０の変更モード、実際の変更タイミングの結果によって変形される、前記関連システム情報と構成は実際の変更前に送信される。よって、加入者端末１１６はフェムトセルの前記新しい構成を受信して前記モード変更を準備するために、十分な時間が提供されなければならない。前記フェムトセルタイプの変更と関連する前記システム情報と構成情報は、セル識別子またはプリアンブル、スーパフレームヘッダ内の情報などを含む。
【００８０】
実施形態において、フェムトモード変更（Ｆｅｍｔｏ−Ｍｏｄｅ−Ｃｈａｎｇｅ）を指示するために使用される前記スイッチメッセージ５１５または前記スイッチバックメッセージ５２０のようなモードメッセージは、フェムトセルタイプ変更と実際の変更のタイミングと関連するシステム情報／構成情報を含むことができる。前記モードメッセージ５１５、５２０は、個別メッセージまたは他のメッセージの部分に含まれて送信されることができる。前記モードメッセージ５１５、５２０は、またＳＦＨ、拡張情報（ｅｘｔｅｎｄｅｄ  ｉｎｆｏｒｍａｔｉｏｎ）システム構成などのような放送チャンネルに伝達されることができる。前記モードメッセージ５１５、５２０は、ユニキャスティング、マルチキャスティング、またはブロードキャスティングメッセージのようなメッセージで送信されることができる。
【００８１】
実際の変更のタイミングは、加入者端末１１６の遊休モードサイクル（Ｉｄｌｅ−ｍｏｄｅ−ｃｙｃｌｅ）に基づいて設定される。例えば、前記スイッチメッセージ５１５のような第１モードメッセージと実際の変更の間の時間は、加入者端末１１６の前記遊休モードサイクル（Ｉｄｌｅ−ｍｏｄｅ−ｃｙｃｌｅ）と同じであるかまたはより長い。よって、遊休モードにある加入者端末１１６は、前記実際の変更に先立って変更に対して認知することができ、そして前記指示されたタイミングの後に、与えるセル識別子（プリアンブル）を利用してフェムトセルを監視することのように、自ら調整する（ａｄｊｕｓｔ）。
【００８２】
実施形態において、一つ以上の遷移フレーム（ｔｒａｎｓｉｔｉｏｎ  ｆｒａｍｅ）は、複数の反復モードメッセージ５１５、５２０を含むことができる。代替案として、一つ以上の新しい同期チャンネル、放送チャンネル、または他のダウンリンクチャンネルは前記遷移フレーム内で繰り返して送信されることができる。
【００８３】
フェムトセルタイプ変更に先立って、ＦＢＳ１６０は自己のカバレッジ内にある前記加入者端末が基地局１０２または基地局１０３にハンドオーバーを行うことを要請することができる。前記フェムトセルタイプ変更と前記実際の変更のタイミングと関連する前記システム情報と構成情報は、ＦＢＳ１６０で加入者端末１１６のような前記加入者端末にハンドオーバー命令で送信されることができる。ハンドオーバー動作時間フィールドは、ハンドオーバー命令内に含まれることができる。前記ハンドオーバー動作時間は、フェムトセル形態の実際の変更の時間またはその時間後であってもよい。
【００８４】
フェムトセルタイプ変更に先立って、ＦＢＳ１６０は自己のカバレッジ領域内にある前記加入者端末に自己にハンドオーバーするように要請する。簡素化したネットワーク再進入手順を使用して、ＦＢＳ１６０は加入者端末１１６のような加入者端末にＦＢＳ１６０がスイッチしようとするモードと関連する前記新しいシステム情報を指示する、ハンドオーバー命令を送信する。前記新しいシステム情報はセル識別子、フレーム構造などを含むことができる。前記ハンドオーバー命令において、用途指示子（ｐｕｒｐｏｓｅ  ｉｎｄｉｃａｔｏｒ）はフェムトセルモードスイッチングのために使用されることができる。前記用途指示子は、前記ハンドオーバーの目的を指示するように構成される。ハンドオーバー命令を受信したとき、加入者端末１１６は含まれる際に前記用途指示子をデコーディングすることができる。簡素化されたネットワーク再進入手順を行う。ステーション識別子（ｓｔａｔｉｏｎ  ＩＤ）、フロー識別子（ｆｌｏｗ  ＩＤ）などのような全ＭＡＣは同じであることができる。即ち、認証（ａｕｔｈｅｎｔｉｃａｔｉｏｎ）のようなものが不要である。前記レンジング手順は、省略されるか簡素化されることができる。ＦＢＳ１６０は加入者端末１１６がネットワーク際進入と関連のメッセージを介して、例えば、レンジング応答のようなことを介して、自己の電力、時間、周波数などを調整するように指示する。たとえ、モード変更が実施例として説明されるが、本発明の範囲を逸脱しないとともに、前記再構成は周波数割当変更、帯域幅変更、基地局タイプ変更などのようなフェムト基地局再構成の種類であってもよい。
【００８５】
実施形態において、モードスイッチが前記一般モード５０５と前記中継モード５１０の間に発生するときに、ＦＢＳ１０はプリアンブル（セル識別子）のような資源を予約することができる。必要に応じて、プリアンブル（セル識別子）のような前記資源は、動的に選択されうる。
【００８６】
実施形態において、加入者端末１１６はＦＡそしてセル識別子と異なる識別子を利用してフェムトセルにハンドオーバーを要請することができる。ＦＢＳ１６０のような前記サービング基地局は、加入者端末１１６に支持されるＦＡ、セル識別子そして他の識別子をもって前記フェムトセルにハンドオーバーを行うよう命令して、加入者端末１１６は前記フェムトセルを素早く検索することができる。
【００８７】
実施形態において、前記ＭＡＣは他のモード間に維持される（同様に維持される）。例えば、ステーション識別子、フロー識別子などは同様に維持されることができる。
【００８８】
実施形態において、再構成に関する再構成メッセージは、加入者端末１１６に送信されることができる。前記再構成メッセージは、基地局１０２利用不可能の区間に対するタイミング情報を含むことができる。前記利用不可能の区間において、基地局１０２または基地局１０２の一部分または構成は、前記再構成のせいで利用することができない。例えば、前記タイミング情報は、利用不可能の区間開始時点と利用不可能の区間の長さであってもよい。代替案として、前記タイミング情報は、利用不可能の区間開始時点と利用不可能の区間終了時点であってもよい。前記再構成メッセージは、また新しい構成を含む。前記利用不可能の区間の開始時点は、基地局１０２の現構成の満了時点である。前記利用不可能の区間の終了時点は、基地局１０２の新しい構成の有効時点である。前記利用不可能の区間は、遷移周期（ｔｒａｎｓｉｔｉｏｎ  ｐｅｒｉｏｄ）または再構成周期（ｒｅｃｏｎｆｉｇｕｒｉｎｇ  ｐｅｒｉｏｄ）の区間であり、基地局１０２は構成を変更する必要がある。もし、前記再構成が前記現構成を中止して新しい構成をもたらすことから遷移区間を要しなければ、その際前記再構成メッセージは、そのインターバルに対するタイミング情報を含む必要がない。さらに、前記再構成メッセージは、新しい構成の有効時間と前記新しい構成事態を含むことができる。該当する場合新しい構成の前記有効時間に先立ってまたは現構成の満了に先立って、前記再構成メッセージは、加入者端末１１６に送信されることができる。前記再構成メッセージは、非周期的または周期的に送信されることができる。基地局１０２は、加入者端末１１６に対するＭＡＣ  ｃｏｎｔｅｘｔ，  セキュリティコンテキスト（ｓｅｃｕｒｉｔｙ  ｃｏｎｔｅｘｔ），加入者端末基本能力（ｓｕｂｓｃｒｉｂｅｒ  ｓｔａｔｉｏｎ  ｂａｓｉｃ  ｃａｐａｂｉｌｉｔｉｅｓ），加入者端末セキュリティ能力（ｓｕｂｓｃｒｉｂｅｒ  ｓｔａｔｉｏｎ  ｓｅｃｕｒｉｔｙ  ｃａｐａｂｉｌｉｔｉｅｓ）などを保管（ｈｏｌｄ）／維持（ｋｅｅｐ）／保存（ｓｔｏｒｅ）することができる。
【００８９】
加入者端末１１６は、前記再構成メッセージを受信する際、加入者端末１１６はＭＡＣ  ｃｏｎｔｅｘｔ，セキュリティコンテキスト（ｓｅｃｕｒｉｔｙ  ｃｏｎｔｅｘｔ），基本能力（ｂａｓｉｃ  ｃａｐａｂｉｌｉｔｉｅｓ）などをキャッシュに臨時保存するかメモリに保存する。加入者端末１１６は、基地局１０２（即ち、前記再構成メッセージを送信した基地局）にハンドオーバーを要請するか、ネットワーク再進入を要請することができる。加入者端末１１６は再進入を要請するために、基地局１０２にレンジング要請メッセージを送信することができる。
【００９０】
加入者端末１１６は、再進入手順最適化（ｒｅ−ｅｎｔｒｙ  ｐｒｏｃｅｓｓ  ｏｐｔｉｍｉｚａｔｉｏｎ）を使用して、簡素化されたネットワーク再進入または最適化されたネットワーク再進入を行うことができる。加入者端末１１６は、レンジング要請メッセージ内に、ＣＭＡＣ（ｃｉｐｈｅｒ−ｂａｓｅｄ  ｍｅｓｓａｇｅ  ａｕｔｈｅｎｔｉｃａｔｉｏｎ  ｃｏｄｅ）またはセキュリティ関連コンテキスト（ｓｅｃｕｒｉｔｙ  ｒｅｌａｔｅｄ  ｃｏｎｔｅｘ）を含む。
【００９１】
基地局１０２が前記レンジング要請メッセージを加入者端末１１６から受信する際、基地局１０２は加入者端末１１６がキャッシュされた情報に基づいて最適化された再進入を行うことができる資格があることが分かる。その際、基地局１０２は、レンジング応答メッセージを加入者端末１１６に送信する。前記レンジング応答メッセージに、基地局１０２はどのように前記再進入手順が最適化されることができるかを示すことができる。例えば、前記レンジング応答メッセージにＳＢＣ（ｂａｓｉｃ  ｃａｐａｂｉｌｉｔｙ）  ｒｅｑｕｅｓｔ／ｒｅｓｐｏｎｓｅ（ＲＥＱ／ＲＳＰ）  ＭＡＣ制御メッセージを省略するか、ＰＫＭ認証ステップを省略するか、ｒｅｇｉｓｔｒａｔｉｏｎ  ｒｅｑｕｅｓｔ／ｒｅｓｐｏｎｓｅ（ＲＥＧ−ＲＥＱ／ＲＳＰ）メッセージと上位階層プロトコルトリガリングを省略するか、ｆｕｌｌ  ｓｅｒｖｉｃｅ及び作動状態（ｏｐｅｒａｔｉｏｎａｌ  ｓｔａｔｅ）が伝達されるかまたは共有されるかを指示することができる。即ち、基地局１０２は、ＳＢＣ−ＲＥＱ／ＲＳＰ  ＭＡＣ制御メッセージを省略する、ＰＫＭ認証ステップを省略する、ＡＡＩ＿ＲＥＧ−ＲＥＱ／ＲＳＰメッセージと上位階層プロトコルトリガリングを省略するｆｕｌｌ  ｓｅｒｖｉｃｅ及び作動状態（ｏｐｅｒａｔｉｏｎａｌ  ｓｔａｔｅ）が伝達されるかまたは共有されるかを指示することを設定することができる。
【００９２】
前記レンジング応答を受信したとき、加入者端末１１６は前記レンジング応答メッセージの指示に従って前記ネットワーク再進入手順を行うことができる。
【００９３】
前記再構成のせいで、基地局１０２はまたは加入者端末１１６にハンドオーバーまたはネットワーク再進入を行うことを指示することができる。基地局１０２は、ハンドオーバー命令（ＨＯ−ＣＭＤ）メッセージを加入者端末１１６に送信することができる。前記ハンドオーバー命令メッセージは、前記基地局再構成タイミング、新しい構成などを反映することができる。例えば、ハンドオーバー命令（ＨＯ−ＣＭＤ）は、加入者端末１１６が基地局１０２の現構成満了時間である「ｄｉｓｃｏｎｎｅｃｔｉｏｎ  ｔｉｍｅ」、基地局１０２の新しい構成の有効時間である「ａｃｔｉｏｎ  ｔｉｍｅ」、基地局１０２の基地局識別子と同じ「ＢＳ  ＩＤ  ｏｆ  ｔｈｅ  ｔａｒｇｅｔ  ｂａｓｅ  ｓｔａｔｉｏｎ」、該当する場合、新しいセル識別子である「ｃｅｌｌ  ＩＤ  ｏｆ  ｔｈｅ  ｔａｒｇｅｔ  ｂａｓｅ  ｓｔａｔｉｏｎ」、該当する場合、基地局１０２の新しいＦＡである「ＦＡ  ｏｆ  ｔｈｅ  ｔａｒｇｅｔ  ＢＳ」などを設定することを指示する。基地局１０２は、加入者端末１１６に対してＭＡＣ  ｃｏｎｔｅｘｔ，セキュリティコンテキスト（ｓｅｃｕｒｉｔｙ  ｃｏｎｔｅｘｔ），加入者端末基本能力（ｓｕｂｓｃｒｉｂｅｒ  ｓｔａｔｉｏｎ  ｂａｓｉｃ  ｃａｐａｂｉｌｉｔｉｅｓ），加入者端末セキュリティ能力（ｓｕｂｓｃｒｉｂｅｒ  ｓｔａｔｉｏｎ  ｓｅｃｕｒｉｔｙ  ｃａｐａｂｉｌｉｔｉｅｓ）などを保管／維持／保存する。
【００９４】
ハンドオーバー命令を受信したとき、加入者端末１１６は同じ基地局に（例：基地局１０２）、ハンドオーバーまたはネットワーク再進入を行うことができる。加入者端末１１６は、ＭＡＣ  ｃｏｎｔｅｘｔ，セキュリティコンテキスト（ｓｅｃｕｒｉｔｙ  ｃｏｎｔｅｘｔ），基本能力（ｂａｓｉｃ  ｃａｐａｂｉｌｉｔｉｅｓ）などをキャッシュするか保存することができる。加入者端末１１６は、基地局１０２に再進入を試みるために、基地局１０２にレンジング要請メッセージを送信する。加入者端末１１６は、簡素化されたネットワーク再進入または最適化されたネットワーク再進入を行うことができる。基地局１０２は、レンジング応答内の指示（ｉｎｄｉｃａｔｉｏｎｓ）によって、加入者端末１１６にどのように前記ネットワーク再進入が最適化されるかを指示することができる。この手順は、上述の手順と類似である。
【００９５】
前記手順は、再構成に結合されるか適用することができる。例えば、前記手順は、前記搬送波周波数または周波数割当、セル識別子または前記基地局のプリアンブルなどを再構成するために適用することができる。
【００９６】
前記実施形態は、基地局が再構成のせいで再びリセットする必要がある場合に適用されることができる。この場合に、新しい構成の有効時間は、時々前記リセットの後であってもよい。例えば、前記ハンドオーバー命令は、前記リセットを考慮して新しい構成の時間に動作時間を設定する。
【００９７】
実施形態において、システムがＩＥＥＥ  ８０２．１６ｍを採用する際、そして基地局１０２がＡＢＳであり加入者端末１１６がＡＭＳである場合、基地局１０２はＦＡを再構成すると、基地局１０２はまたセル識別子を再構成する必要がある。基地局１０２が自己のＦＡを変更する際に、基地局１０２はＡＡＩ＿ＳＯＮ−ＡＤＶメッセージを基地局１０２のカバレッジ領域内にある加入者端末１１６に送信することができる。前記ＡＡＩ＿ＳＯＮ−ＡＤＶメッセージは、新しいＦＡ、ＦＡのための有効時間、そして現構成と新しい構成間の中間時間間隔（ｉｎ−ｂｅｔｗｅｅｎ  ｔｉｍｅ  ｉｎｔｅｒｖａｌ）を含む。前記中間時間区間は、基地局１０２が現構成から新しい構成に遷移することによって、加入者端末１１６が利用できない区間である。もし、加入者端末１１６が前記利用不可能の間隔を耐えることができないと、加入者端末１１６は基地局１０３のような他の基地局にハンドオーバーすることを選択することになる。前記許容不可能の間隔を加入者端末１１６が許容する場合、たとえ加入者端末１１６が基地局１０２と接続を維持しても、加入者端末１１６は前記許容不可能の間隔中に基地局１０２に信号を送信することを制限することができる。加入者端末１１６は、自ら新しいＦＡで基地局１０２（サービング基地局）にハンドオーバーすることを要請することができる。基地局１０２は、新しいＦＡで基地局１０２にハンドオーバーするように加入者端末１１６に命令する。加入者端末１１６が簡素化されたネットワーク再進入を行うようにするために、ステーション識別子、接続識別子などのような前記ＭＡＣ  ｃｏｎｔｅｘｔは同様に維持される。該当する場合、基地局１０２はＡＡＩ＿ＨＯ−ＣＭＤで加入者端末１１６に新しいＦＡと新しいセル識別子に対して知らせることができる（ｔａｒｇｅｔ  ＡＢＳ  ＦＡ，  ｔａｒｇｅｔ  ＡＢＳ  ｃｅｌｌ  ＩＤ）。そして新しいＦＡの有効時間になるとき、ＡＡＩ＿ＨＯ−ＣＭＤ内に動作時間を設定する。
【００９８】
例えば、サービング基地局として基地局１０２は、自ら加入者端末１１６に基地局１０２にハンドオーバーするよう命令する場合、次の手順が発生する。
【００９９】
基地局１０２は、加入者端末１１６に自己にハンドオーバーすることを命令する。
１）ＭＡＣ  ｃｏｎｔｅｘｔは同様に維持される。
２）簡素化されたハンドオーバー手順：
ａ）ターゲットＢＳＩＤに対して
ｉ．［オプション１］従来のハンドオーバー手順を使用‐ＨＯ−ＣＭＤにおいてターゲットＢＳＩＤはサービング基地局のＢＳＩＤと同じである。
ｉｉ．［オプション２］は、ＨＯ−ＣＭＤに特別なハンドオーバーモード「１１」を指示する。前記ＨＯ−ＣＭＤは、加入者端末１１６が基地局１０２（サービング基地局）にハンドオーバーすることを指示する。前記モードが「１１」である場合ターゲットＢＳＩＤは不要である。これは４８ビットＢＳＩＤ送信を節約できる。
ｉｉｉ．［オプション３］において基地局１０２（サービング基地局）にハンドオーバーを指示するために、ＨＯ−ＣＭＤのターゲットＢＳＩＤフィールドに、基地局１０２は特別なコード（全部ゼロインコード）を挿入する。
【０１００】
ｂ）簡素化された再進入。レンジングは、不要である。ＨＯ−ＣＭＤは、前記レンジング（ＲＮＧ−ＲＥＱ，  ＲＮＧ−ＲＳＰ）が省略されるかを指示する新しいビット（「１」Ｎｏｔ  ｓｋｉｐ；「０」Ｓｋｉｐ）を含む。
【０１０１】
ｃ）基地局１０２がスイッチされるＦＡに対して：
ｉ．［オプション１］現ＨＯ−ＣＭＤ内の「Ｐｈｙｓｉｃａｌ＿Ｃａｒｒｉｅｒ＿Ｉｎｄｅｘ」フィールドは、基地局１０２がスイッチされるＦＡを指示するために使用される。
ｉｉ．［オプション２］前記ＨＯ−ＣＭＤは「ＦＡ  ｏｆ  ｔｈｅ  ｔａｒｇｅｔ  ＢＳ」フィールドを含む。実施形態において、上記のオプション２（ＨＯ−ＣＭＤ内のハンドオーバーモード「１１」）と共に使用されることができる。もし、モードが「１１」であれば、「ＦＡ  ｏｆ  ｔｈｅ  ｔａｒｇｅｔ  ＢＳ」フィールドは使用されうる。それとも、そのフィールドを含めることはない。
【０１０２】
ｄ）前記ＨＯ−ＣＭＤ内の動作時間は、ほぼ新しいＦＡの有効時間である。
基地局１０２は、加入者端末１１６がＦＡ変更を準備できるようにするために、ＦＡ変更に関する情報を放送する。
【０１０３】
１）ＳＯＮ−ＡＤＶメッセージは、下記ａ）、ｂ）、ｃ）を含めるように構成される。
ａ）ＦＡ変更のためのタイミング（Ｔｉｍｉｎｇ  ｆｏｒ  ｔｈｅ  ＦＡ  ｃｈａｎｇｅ）；
ｂ）新しいＦＡ（Ｔｈｅ  Ｎｅｗ  ＦＡ）；及び
ｃ）新しいセル識別子（Ｔｈｅ  Ｎｅｗ  ｃｅｌｌ  ＩＤ）（該当する場合）。
【０１０４】
２）加入者端末１１６は、準備の簡素化されたハンドオーバー（ＨＯ）
ａ）基地局１０２は、ＮＢＲ−ＡＤＶに新しいＦＡを含むように自ら追加することができる（この入力を介してタイミングタグ（ｔｉｍｉｎｇ  ｔａｇ）を追加する）；及び
ｂ）加入者端末１１６は、自ら基地局１０２（サービング基地局）にハンドオーバーするか、加入者端末１１６が基地局１０３（例：他の基地局）にハンドオーバーすることができる。
【０１０５】
よって、加入者端末１１６はサービング基地局（基地局１０２）にハンドオーバーするか、他（基地局１０３）にハンドオーバーするか選択する。
【０１０６】
実施形態において、ＦＢＳ１６０のように、少なくとも一つの基地局がフェムトセル基地局である場合、基地局１０２は下記の１）、２）を行うことができる。
【０１０７】
１）ＡＢＳである基地局１０２は、自己の加入者端末へ他のＦＡで自己にハンドオーバーすることを要請することができる。基地局１０２は、ＳＴＩＤ、ＭＳ  ＭＡＣ  ＩＤなどのような接続関連コンテキストを維持する。
【０１０８】
２）加入者端末１１６が基地局１０２（サービング基地局）にハンドオーバーする簡素化されたハンドオーバーがａ）、ｂ）によって行われることを指示する。
ａ）ＨＯ−ＣＭＤ内に、基地局１０２は、新しいフィールドまたは「Ｐｈｙｓｉｃａｌ＿Ｃａｒｒｉｅｒ＿Ｉｎｄｅｘ」フィールドで新しいＦＡを指示する。
ｂ）ＨＯ−ＣＭＤ内にｔａｒｇｅｔ  ＢＳＩＤのためのフィールドにおいて、基地局１０２は自己にハンドオーバーすることを指示するために、特別なコード（全部ゼロインコード）を挿入する。
ｃ）ネットワーク再進入中に、ＲＮＧ−ＲＥＱ内に、サービング基地局にハンドオーバーを行っているところであることを指示するために、加入者端末１１６はサービング基地局のためのフィールド内に特別なコード（全部ゼロインコード）を使用する。即ち、ターゲット基地局は、サービング基地局と同じである。一つ以上の無関係のフィールドは省略される；及び
ｄ）ＲＮＧ−ＲＳＰ内に、基地局１０２は、レンジング状態（ｒａｎｇｉｎｇ  ｓｔａｔｕｓ）のためのフィールドのみを送信し、残りフィールドを省略する。
【０１０９】
基地局１０２はＦＡを変更する場合、基地局１０２はＳＯＮ−ＡＤＶを放送することができる。加入者端末１１６がサービング基地局にハンドオーバーする前記簡素化されたハンドオーバーが行われることができる。
【０１１０】
実施形態において、「Ｒｅｅｎｔｒｙ  Ｐｒｏｃｅｓｓ  Ｏｐｔｉｍｉｚａｔｉｏｎ」フィールドを使用するとき、一つ以上のメッセージは次のように構成される。
【０１１１】
１）前記ＳＯＮ−ＡＤＶメッセージは、「Ｕｎａｖａｉｌａｂｌｅ  ｓｔａｒｔ  ｔｉｍｅ／Ｕｎａｖａｉｌａｂｌｅ  Ｔｉｍｅ  Ｉｎｔｅｒｖａｌ」と「Ｎｅｗ  Ｃｅｌｌ  ＩＤ」を指示するように構成される。
【０１１２】
２）前記ＨＯ−ＣＭＤメッセージは、前記ＳＯＮ−ＡＤＶメッセージを基づいて「Ａｃｔｉｏｎ／Ｄｉｓｃｏｎｎｅｃｔ  Ｔｉｍｅ」、「ＢＳ  ＩＤ」、「Ｃｅｌｌ  ＩＤ」を設定するように構成される。
【０１１３】
３）前記ＲＮＧ−ＲＳＰメッセージは、再進入最適化（ｒｅ−ｅｎｔｒｙ  ｏｐｔｉｍｉｚａｔｉｏｎ）に関する指示（ｉｎｄｉｃａｔｉｏｎ）を含めるように構成されて、ＲＮＧ−ＲＥＱメッセージを受信したとき、基地局１０２は「Ｒｅｅｎｔｒｙ  Ｐｒｏｃｅｓｓ  Ｏｐｔｉｍｉｚａｔｉｏｎ」フィールドを含むＲＮＧ−ＲＳＰメッセージを送信する。前記「Ｒｅｅｎｔｒｙ  Ｐｒｏｃｅｓｓ  Ｏｐｔｉｍｉｚａｔｉｏｎ」フィールドは、次の手順の省略を指示することができる。
ａ）Ｂｉｔ  ＃０：ｂａｓｉｃ  ｃａｐａｂｉｌｉｔｙ  ｎｅｇｏｔｉａｔｉｏｎ  ｒｅｑｕｅｓｔ  ａｎｄ  ｒｅｓｐｏｎｓｅ（例：ＡＡＩ＿ＳＢＣ−ＲＥＱ／ＲＳＰ）ＭＡＣ制御メッセージを省略することと同様に、ｂａｓｉｃ  ｃａｐａｂｉｌｉｔｙ  ｎｅｇｏｔｉａｔｉｏｎ  ｐｒｏｓｅｄｕｒｅを省略する。
ｂ）Ｂｉｔ  ＃１：ｐｒｉｖａｔｅ  ｋｅｙ  ＭＡＣ（ＰＫＭ）制御メッセージとＰＫＭ認証ステップを省略する。
ｃ）Ｂｉｔ  ＃２：ｒｅｇｉｓｔｒａｔｉｏｎ  ｒｅｑｕｅｓｔ  ａｎｄ  ｒｅｓｐｏｎｓｅメッセージ（例：ＡＡＩ＿ＲＥＧ−ＲＥＱ／ＲＳＰ  ｍｅｓｓａｇｅ）及び上位階層プロトコルトリガリングを省略する；及び
ｄ）Ｂｉｔ  ＃３：Ｆｕｌｌ  ｓｅｒｖｉｃｅ及びｏｐｅｒａｔｉｏｎａｌ  ｓｔａｔｅが伝達されるかまたは共有されるか、または維持される。
【０１１４】
さらに、ＳＯＮ再構成の場合に、「Ｒｅｅｎｔｒｙ  Ｐｒｏｃｅｓｓ  ｏｐｔｉｍｉｚａｔｉｏｎ」は、「０ｂ１１１１」と設定される。よって、ＡＡＩ＿ＲＮＧ−ＲＳＰメッセージ内の前記Ｒｅｅｎｔｒｙ  Ｐｒｏｃｅｓｓ  ｏｐｔｉｍｉｚａｔｉｏｎは、ＳＯＮ再構成中に「０ｂ１１１１」を設定される。
【０１１５】
端末、基地局、ネットワークは、セキュリティコンテキスト，基本能力コンテキスト，ＭＡＣ  ｃｏｎｔｅｘｔのような通信コンテキスト、サービスと関連するコンテキストのようなｈｉｇｈｅｒ  ｌａｙｅｒ  ｃｏｍｍｕｎｉｃａｔｉｏｎ，  ｏｐｅｒａｔｉｏｎａｌ  ｓｔａｔｅ  ｃｏｎｔｅｘｔなどを維持することができる。維持される通信コンテキストは、前記簡素化されるまたは最適化されたネットワーク進入を可能にするか、その役に立つ。
【０１１６】
実施形態において、基地局が自己の構成（ＦＡ、帯域幅、基地局タイプなど）を変更する前に、現構成（ＦＡ、帯域幅、基地局タイプなど）、ダウンタイム、新しい構成（ＦＡ、帯域幅、基地局タイプなど）、アップタイム（ｕｐｔｉｍｅ）を含むＡＡＩ＿ＳＯＮ−ＡＤＶメッセージをＡＭＳに送信することができる。前記ＡＭＳは、同じＡＢＳ内で新しいＦＡ作動時間にネットワーク再進入を行って自己のセッションを継続する。
【０１１７】
一方、本発明の詳細な説明では具体的な実施例に関して説明したが、本発明の範囲を逸脱しない範囲内で多様な変形が可能であることはもちろんである。従って、本発明の範囲は説明された実施例に限って決められてはならず、後述する特許請求の範囲だけでなく、この特許請求の範囲と均等なものによって決められるべきである。
【符号の説明】
【０１１８】
１００  無線ネットワーク
１０１  基地局
１０２  基地局
１０２’  基地局
１０３  基地局
１１１〜１１６  加入者端末
１２０  カバレッジ領域
１３０  インターネット
１６０  ＦＢＳ
１６１  通信ライン
１６５  ＷＧＷ
１６７  ＷＳＳ
１６８  通信ライン
２０５  変調機
２１０  直／並列変換機
２１５  演算機
２２０  並／直列変換機
２２５  ＣＰ挿入機
２３０  アップ変換機
２４０  メインプロセッサ
２５５  ダウン変換機
２６０  ＣＰ除去機
２６５  直／並列変換機
２７０  ＦＦＴ演算機
２７５  並／直列変換機
２８０  チャネルデコーディング／復調機
２９０  ＢＣＳ
３０５  アンテナ
３１０  ＲＦトランシーバー
３１５  プロセッシング回路
３３０  スピーカ
３４０  メインプロセッサ
３４５  出力インターフェス
３５０  キーパッド
３６０  メモリ
３６１  オペレーティングシステムプログラム
３６２  アプリケーション
【図１】
0005628933.tif 000002
【図３】
0005628933.tif 000003
【図４】
0005628933.tif 000004
【図５】
0005628933.tif 000005
【図２】
0005628933.tif 000006